【事件の表示】
　特願２００３−１０９２３８「画像読取装置」拒絶査定不服審判事件〔平成１５年１０月３１日出願公開、特開２００３−３０９７０８〕について、次のとおり審決する。
【結　論】
　本件審判の請求は、成り立たない。
【理　由】
１．手続きの経緯・本願発明
　本願は、平成９年８月１３日に出願した特願平９−２１８７１５号の一部を平成１５年４月１４日に新たな特許出願としたものであって、その請求項１に記載された発明は、特許請求の範囲の請求項１に記載された次のとおりのものである。（以下、「本願発明」という。）
　
　「【請求項１】　複数の光電変換素子をアレイ状に配列したイメージセンサと、原稿面の読み取り対象の画像を該イメージセンサに結像させるレンズアレイと、前記原稿面を照射する光源と、前記原稿面に接して移動方向に回転する走行ローラとを有し、
　前記イメージセンサと前記レンズアレイを移動方向と垂直方向に対向させて筐体内に配置し、かつ前記光源と走行ローラを移動方向において該レンズアレイを両側から挟むように前記筐体内に配置し、
　前記レンズアレイの結像の中心線から前記光源側の一方の前記筐体側面までの距離を１０ｍｍ以下とし、前記レンズアレイの結像の中心線から前記走行ローラの原稿面との接地部までの距離を含む他方の前記筐体側面までの距離を１０ｍｍ以下としたことを特徴とする画像読取装置。」
　
２．引用例
（１）原査定の拒絶の理由に引用された特開平１−２０９８６８号公報（以下、「引用例１」という。）には、
　ア　「〔従来の技術〕
　第５図はイメージスキャナの使用方法を示す斜視図であり、第６図はその構成を示す断面図である。
　図において、（１）はイメージスキャナ本体、（２）は被写体、（３）はイメージスキャナ本体（１）の内部に設けられ、被写体（２）に記入された情報を読みとるイメージセンサ、（４）はイメージセンサ（３）と被写体（２）との間に位置するよう配置されたレンズ、（５）は光源である発光ダイオード、（６）はイメージスキャナ本体（１）を被写体（２）の上面に沿って走らせるローラ、（６ａ）はローラを支える軸、（７）はイメージスキャナ本体（１）の外殻となるケース、（７ｅ）はケース（７）の被写体対向面（下面）に設けられ、イメージスキャナ本体（１）が被写体（２）の面の上を滑らかに移動するようにするための突起である。」（１頁右下１１行〜２頁左上欄６行）、
　イ　「以上の構成において、第４図、第５図の矢印の方向に、イメージスキャナ本体（１）を被写体（２）に沿って手動にて動かすことにより被写体（２）に書かれた情報が読みとられ、電気信号に変えられる。その際、イメージスキャナ本体（ｌ）は発光ダイオード（５）で被写体（２）を照らし、レンズ（４）を通してイメージセンサ（３）で一次元の情報を光学的に読み込むこととなるが、イメージスキャナ本体（１）を矢印の方向に被写体（２）に沿って動かすことにより二次元の情報を得ることができる。
　ローラ（６）は移動距離を算出するためと移動の直進性を確保するために必要となり、構造的には軸（６ａ）により支えられている。移動はローラ（６）及びケース（７）の突起（７ｅ）を被写体（２）に接触させた状態でおこなう。」（２頁左上欄１６行〜右上欄１０行）が記載されている。
　これらの記載ア、イ及び図面第５図〜第８図によれば、引用例１には、イメージセンサ（３）と、被写体（２）を該イメージセンサ（３）に結像させるレンズ（４）と、前記被写体（２）を照射する光源である発光ダイオード（５）と、前記被写体（２）の上面に沿って走らせるローラ（６）とを有し、前記イメージセンサ（３）と前記レンズ（４）を移動方向と垂直方向に対向させてケース（７）内に配置し、かつ前記光源（５）とローラ（６）を移動方向において該レンズ（４）を両側から挟むように前記ケース内に配置したイメージスキャナの発明（以下、「引用発明１」という。）が記載されている。
（２）原査定の拒絶の理由に引用された実願昭６０−１６８３２１号（実開昭６２−７７９５８号）のマイクロフィルム（以下、「引用例２」という。）には、内部に読取センサを有すると共に走査面に画像信号入口部を有するスキャナ本体を、読取対象面に前記走査面を対向させて手動走査することにより、前記読取対象面から前記画像信号入口部を通して与えられる画像信号を前記読取センサにより読取るようにしたものであって、前記スキャナ本体の走査面に、前記読取対象面に摺接して該読取対象面を平坦化させる平面状の面矯正部を設けたことを特徴とする画像読取り装置が記載されている。
（３）原査定の拒絶の理由に引用された特開昭６２−１２５７７１号公報（以下、「引用例３」という。）には、
　ウ　「第６図は文書の部分人力に適用するハンドスキャナの外観例と書面との位置関係を示したものであり、１はハウジング、２は入力すべき書面を表す。またＰは入力位置であり、この入力位置Ｐを含む一点鎖線が書面２に対する観測視野を表し、矢印は手送りによるハンドスキャナの移動方向を示している。このように従来のものは、ハウジング１の高さと被覆する面積とが大きくなるので、入力位置Ｐの近傍を目視確認できないという欠点があった。
　一般文書の任意の一部を入力する用途において、この欠点は入力操作性に関して大きな障害である。具体的には、不必要な情報を入力したり、入力情報の前後が欠けたり、あるいは手送りの曲りによって必要な情報の上下が欠落したりするなどの問題点があった。
　この改善策として、密着形のセンサを使用したハウジングの高さ方向の寸法を圧縮する方法がある。第７図はこの方法による光学系の実装形態を示すための説明図であって、主走査方向に対して直角な平面による断面図である。第７図で、３は１次元イメージセンサ（以下、単にセンサという）、４はロッドレンズアレイ、５は照明ランプである。
〔発明が解決しようとする問題点〕
　しかしこの方法でも、センサ３、ロッドレンズアレイ４、照明ランプ５の実装のため無視できない寸法の幅（第７図のＷ）を確保する必要がある。片側から照明して入力位置Ｐを左右方向に移動し、ハウジング１の側端部Ｑとの距離を短縮しても、センサ基盤の厚みなどに最低５ｍｍ程度は必要となる。光学ミラーなどで光路を折り曲げる方法もあるが、ハウジング１がさらに大きくなり焦点の調整も煩雑になる等の問題点があった。」（２頁左上欄１６行〜左下欄８行）が記載されている。
（４）原査定の拒絶の理由に引用された特開平８−２０４９１８号公報（以下、「引用例４」という。）には、
　エ　「【請求項１】  読取対象の原稿に光を照射する光源と、線状に配列された複数の受光素子から成る第１および第２の受光素子列を有する１次元イメージセンサと、照射された前記光の前記原稿からの反射光を前記第１および第２の受光素子列に導く光学手段と前記受光素子列の配列方向と直交する副走査方向の移動量を検出する移動量検出手段と前記反射光の強度に対応する前記第１の受光素子列の出力信号と前記移動量とから所望の２次元画像データを生成する信号処理手段とを備える画像入力装置において、
前記移動量検出手段が、前記副走査方向に対し予め定めた角度で交互配列された白縞および黒縞から成る白黒パターンを有する白黒パターン担体と、
前記白黒パターン担体を前記副走査方向の移動に連動して移動させる副走査担体移動手段とを備え、
前記光学手段が前記第２の受光素子列に前記白黒パターンからの反射光を導く反射光集束手段を備えることを特徴とする画像入力装置。
【請求項２】  前記白黒パターン担体が前記光源と前記光学手段と前記１次元イメージンサの周囲を取り囲むように配置され両端が接合されたたエンドレス帯状体であり、
前記副走査担体移動手段が前記副走査方向の移動に応じて回転し前記エンドレス帯状体を駆動する帯状体駆動ローラを備えることを特徴とする請求項１記載の画像入力装置。
【請求項３】  前記白黒パターン担体が前記１次元イメージンサの近傍に配置された有限長の帯状体であり、
前記副走査担体移動手段が前記副走査方向の移動に応じて回転し前記有限長の帯状体を駆動するとともにこの有限長の帯状体の移動に対応してこれを巻取る巻取機構付ローラを備えることを特徴とする請求項１記載の画像入力装置。
【請求項４】  前記白黒パターン担体が前記１次元イメージンサの近傍に配置された棒状体であり、
前記副走査担体移動手段が前記副走査方向の移動に応じて回転し前記棒状体を駆動する暴状体駆動ローラを備えることを特徴とする請求項１記載の画像入力装置。」（２頁１欄２行〜３９行）、
　オ　「次に、本発明の第６の実施例の構造を斜視図で示す図１１を参照すると、この図に示す本実施例の画像入力装置の第５の実施例との相違点は、従来と同様な１次元センサ１１と、光源１３と、光ファイバレンズアレイ１０７と、光ファイバレンズアレイ１０７よりも焦点距離の短い光ファイバレンズアレイ１０８とを備次に図１１を参照して本実施例の動作を説明すると、光源１３から発射された光は、図示されていない原稿および棒状体５１に達し、それらからの反射光が光ファイバレンズアレイ１０７，１０８により結像される。その後の動作は第１の実施例と全く同じである。棒状体５１の代わりに第１，第３の実施例で説明した帯状体を設ける構成でも同じ効果が得られる。」（５頁８欄２９行〜４１行）、
　カ　「本発明の画像入力装置は、例えば直径10mmのペン型の筐体に内蔵できるほど小型なため、入力中の行近傍を見ながら走査できるので使い勝手がよい。また、携帯性に優れている。さらに、部品点数削減により低コストで製作できる。
【発明の効果】以上説明したように、本発明の画像入力装置は、移動量検出手段が白黒パターン担体と、この白黒パターン担体を副走査方向の移動に連動して移動させる副走査担体移動手段とを備え、光学手段が第２の受光素子列に白黒パターンからの反射光を導く反射光集束手段を備えることにより、例えば直径10mmのペン型の筐体に内蔵できるほど小型化できるので入力中の行近傍を見ながら走査でき、使い勝手がよいという効果がある。
　また、部品点数削減による低コスト化が実現できるという効果がある。」（５頁８欄４２行〜６頁９欄７行）が記載されている。
　
３．対比
　そこで、本件発明と引用発明１とを対比すると、
　引用発明１の「被写体（２）」、「光源である発光ダイオード（５）」及び「ローラ（６）」は、本願発明の「原稿」、「光源」及び「走行ローラ」に相当する。
　引用発明１の「イメージセンサ（３）」は、イメージスキャナ本体（ｌ）が発光ダイオード（５）で被写体（２）を照らし、レンズ（４）を通してイメージセンサ（３）で一次元の情報を光学的に読み込み、イメージスキャナ本体（１）を矢印の方向に被写体（２）に沿って動かすことにより二次元の情報を得ることができるものであり、慣用されている複数の光電変換素子をアレイ状に配列したものといえるから、本願発明の「複数の光電変換素子をアレイ状に配列したイメージセンサ」に相当する。
　本願発明の「レンズアレイ」は、上位概念化すればレンズといえる。
　また、引用発明１の「イメージスキャナ」は、画像を読み取るものであるから、本願発明の「画像読取装置」に相当する。
　したがって、本願発明と引用発明１とを対比すると、「複数の光電変換素子をアレイ状に配列したイメージセンサと、原稿面の読み取り対象の画像を該イメージセンサに結像させるレンズと、前記原稿面を照射する光源と、前記原稿面に接して移動方向に回転する走行ローラとを有し、
　前記イメージセンサと前記レンズを移動方向と垂直方向に対向させて筐体内に配置し、かつ前記光源と走行ローラを移動方向において該レンズを両側から挟むように前記筐体内に配置した、画像読取装置」の点で一致し、以下の点で相違する。
　相違点１
　本願発明は、レンズが、レンズアレイであるのに対し、引用発明１では、そのことが記載されていない点
　相違点２
　本願発明は、「前記レンズアレイの結像の中心線から前記光源側の一方の前記筐体側面までの距離を１０ｍｍ以下とし、前記レンズアレイの結像の中心線から前記走行ローラの原稿面との接地部までの距離を含む他方の前記筐体側面までの距離を１０ｍｍ以下とした」に対して、引用発明１では、そのことが記載されていない点。
　
４．当審の判断
　以下、相違点１、２について検討する。
  相違点１について
　画像読取装置において、原稿面の読み取り対象の画像をイメージセンサに結像させるレンズとしてレンズアレイは周知であり（例：引用例３記載ウ、引用例４記載オ）、引用発明１において、レンズアレイを採用することを困難とする格別な事情もないといえるから、引用発明１のレンズを、レンズアレイとすることは当業者が容易になし得たものといえる。
　相違点２について
　引用発明１と同一技術分野に属する引用例３に「センサ３、ロッドレンズアレイ４、照明ランプ５の実装のため無視できない寸法の幅（第７図のＷ）を確保する必要がある。片側から照明して入力位置Ｐを左右方向に移動し、ハウジング１の側端部Ｑとの距離を短縮しても、センサ基盤の厚みなどに最低５ｍｍ程度は必要となる。」と記載され（上記記載ウ）、ロッドレンズアレイ４（本願発明の「レンズアレイ」に相当する）に隣接して片側だけに光源５を設け、走行ローラを有さないハンドスキャナにおいて、ハウジング１（本願発明の「筐体」に相当する）の１次元イメージセンサ３（本願発明の「イメージセンサ」に相当する）の移動方向のハウジング１の幅Ｗが５ｍｍ程度必要となるといえるから、その場合には、原稿接触面におけるロッドレンズアレイ４の結像の中心点から光源側の一方のハウジング側面までの距離は５ｍｍ程度より小さくなる、即ち、１０ｍｍ以下とする技術事項が開示されているといえる。
　同じく、引用発明１と同一技術分野に属する引用例４に「本発明の画像入力装置は、例えば直径10ｍｍのペン型の筐体に内蔵できるほど小型なため、入力中の行近傍を見ながら走査できるので使い勝手がよい。」と記載され（上記記載カ）、引用例４【図１】に記載された第１の実施例の内部構造において、ファイバ集束部４６（本願発明の「レンズアレイ」に相当する）を受光素子アレイ４２（本願発明の「イメージセンサ」に相当する）の移動方向において両側からローラ４７で挟んだ画像入力装置において、その受光素子アレイ４２の移動方向の筐体の幅が10ｍｍであるといえるから、その場合には、原稿接触面におけるファイバ集束部４６の結像の中心点から、ローラ４７の原稿面との接地部までの距離を含む、筐体側面までの距離も、その対象な構造から考えて、５ｍｍ程度になっているといえ、即ち、１０ｍｍ以下とする技術事項が開示されているといえる。
　一方、一般に、ハンディスキャナと称されるタイプのイメージスキャナは書籍などの原稿上を移動させながらその情報を読み取ることに使用できることは周知であり（例：引用例２）、書籍などの原稿では、有意な情報は紙面の端近くあるいはとじ目の近くまで記載されていることは一般的であって、有意な情報を全て読み取るためには、その構造を最小限とすること、例えば、レンズアレイの結像の中心線から光源側の一方の筐体側面までの距離とレンズアレイの結像の中心線から走行ローラの原稿面との接地部までの距離を含む他方の筐体側面までの距離を最小限としなければならないことは、当業者が、当然の課題としているものと認められる。
　そして、１０ｍｍという数値は原稿の余白部の寸法以下の値として生活経験上容易に思い至る値であり、しかも１０ｍｍという数値に臨界的意義は認められないから、上記の最小限とする距離を１０ｍｍ以下と限定することは、当業者の通常の創作能力の範囲内の設計事項にすぎないというべきである。
　してみると、引用発明１に、上記引用例３及び４に記載された技術事項を採用して、「前記レンズアレイの結像の中心線から前記光源側の一方の前記筐体側面までの距離を１０ｍｍ以下とし、前記レンズアレイの結像の中心線から前記走行ローラの原稿面との接地部までの距離を含む他方の前記筐体側面までの距離を１０ｍｍ以下とした」ことは、当業者が容易に想到できたものである。
　
５．むすび
　以上のとおり、本願発明は、当業者が引用例１〜４に記載された発明に基いて容易に発明することができたものであるから、特許法第２９条第２項の規定により特許を受けることができない。
　したがって、本願は、他の請求項について、検討するまでもなく拒絶されるべきものである。
　よって、結論のとおり審決する。